(57)【要約】【課題】ディスクの種類を迅速に且つ的確に判別して、ディスク種類に対応した制御を可能とするディスク判別装置付きディスク記録再生装置を提供すること。【解決手段】ディスクに形成された特定パターンの読み取り手段と、読み取り手段からの信号に基づいてディスクの種類を判別する判別手段と、ディスクの種類に対応して光学系を制御する制御手段と、を備えたディスク記録再生装置であって、特定パターンは、ディスクのデータ記録面とは反対側のディスク面に形成され、読み取り手段は、ディスクがディスク記録再生装置内に装填される移行過程において特定パターンを読み取り、特定パターンは、白地に同心円状に配列された複数の黒線有り又は黒線無しのパターンのシールであって、前記シールは前記ディスクの中央部分に貼り付けられ、ディスクの中心部が読み取り手段を通過した後に特定パターンを読み取ること。【選択図】図３ａ
2005317102.tif 000002
【特許請求の範囲】
【請求項１】
ディスクに形成された特定パターンを読み取る読み取り手段と、前記読み取り手段からの信号に基づいて前記ディスクの種類を判別する判別手段と、前記ディスクの種類に対応して光学系を制御する制御手段と、を備えたディスク記録再生装置であって、
前記特定パターンは、前記ディスクのデータ記録面とは反対側のディスク面に形成され、且つ前記ディスクの種類を判別するように形成される
ことを特徴とするディスク記録再生装置。
【請求項２】
ディスクに形成された特定パターンを読み取る読み取り手段と、前記読み取り手段からの信号に基づいて前記ディスクの種類を判別する判別手段と、前記ディスクの種類に対応して光学系を制御する制御手段と、を備えたディスク記録再生装置であって、
前記特定パターンは、前記ディスクのデータ記録面とは反対側のディスク面に形成され、
前記読み取り手段は、前記ディスクがディスク記録再生装置内に装填される移行過程において前記特定パターンを読み取る
ことを特徴とするディスク記録再生装置。
【請求項３】
ディスクに形成された特定パターンを読み取る読み取り手段と、前記読み取り手段からの信号に基づいて前記ディスクの種類を判別する判別手段と、前記ディスクの種類に対応して光学系を制御する制御手段と、を備えたディスク記録再生装置であって、
前記特定パターンは、前記ディスクのデータ記録面とは反対側のディスク面に形成され、
前記読み取り手段は、ディスク記録再生装置内に装填完了された前記ディスクの初期回転によって前記特定パターンを読み取る
ことを特徴とするディスク記録再生装置。
【請求項４】
ディスクに形成された特定パターンを読み取る読み取り手段と、前記読み取り手段からの信号に基づいて前記ディスクの種類を判別する判別手段と、前記ディスクの種類に対応して光学系を制御する制御手段と、を備えたディスク記録再生装置であって、
前記特定パターンは、前記ディスクのデータ記録面とは反対側のディスク面に形成され、
前記読み取り手段は、ディスク記録再生装置内に装填完了された前記ディスクの複数パターンを同時に読み取る複数の読み取り部からなり、前記ディスクが装填完了後で回転する以前に前記複数の読み取り部によって前記特定パターンを読み取る
ことを特徴とするディスク記録再生装置。
【請求項５】
請求項１ないし４のいずれか１つの請求項において、
前記ディスクに対して前記特定パターンを書き込んだ印刷物を貼り付けることを特徴とするディスク記録再生装置。
【請求項６】
請求項１ないし４のいずれか１つの請求項において、
前記ディスクに対して前記特定パターンを印刷することを特徴とするディスク記録再生装置。
【請求項７】
請求項１ないし４のいずれか１つの請求項において、
前記特定パターンは、光反射率の差を前記読み取り手段で判別できるベースとパターンとからなることを特徴とするディスク記録再生装置。
【請求項８】
請求項２において、
前記特定パターンは、白地に１つの円状黒線又は同心円状に配列された複数の黒線又は黒線無しのパターンのシールであって、前記シールは前記ディスクの中央部分に貼り付けられ、
前記読み取り手段は、前記ディスクの装填移行過程で前記ディスクの中心部が前記読み取り手段を通過した後に前記特定パターンを読み取る
ことを特徴とするディスク記録再生装置。
【請求項９】
請求項３において、
前記特定パターンは、白地に複数の切れ目のある１本の円形状黒線のパターンのシールであって、前記シールは前記ディスクの中央部分に貼り付けられ、
前記読み取り手段は、前記ディスクの装填完了後に前記１本の円形状黒線に対向配置された単一の読み取り部で前記特定パターンを読み取る
ことを特徴とするディスク記録再生装置。
【請求項１０】
請求項４において、
前記特定パターンは、白地に、ディスク種類を判別するために同心円状に配列された複数の黒線有り又は黒線無しのパターンのシールであって、前記シールは前記ディスクの中央部分に貼り付けられ、
前記読み取り手段は、前記同心円状に配列されたパターンの数に一致する読み取り部を設けて前記特定パターンを読み取る
ことを特徴とするディスク記録再生装置。
【請求項１１】
請求項１ないし４、または請求項８ないし１０のいずれか１つの請求項において、
前記読み取り手段は、発光素子として赤外線等を用いた発光ダイオードと、受光素子としてフォトトランジスタとからなる反射型フォトセンサを用いる
ことを特徴とするディスク記録再生装置。
【請求項１２】
請求項１１において、
前記特定パターンは、そのベースに透明なフィルムを使用し、そのパターンに赤外線領域のみ選択的に反射する塗料を使用する
ことを特徴とするディスク記録再生装置。
【請求項１３】
請求項８、９または１０において、
白地に黒線のパターンに代えて、黒地に白線のパターンとすることを特徴とするディスク記録再生装置。
【発明の詳細な説明】
【技術分野】
【０００１】
本発明は、ＣＤ、ＣＤ−ＲＯＭ、ＣＤ−ＲＷ、ＣＤ−Ｒ等のＣＤ、及びＤＶＤ、ＤＶＤ−ＲＯＭ、ＤＶＤ−ＲＡＭ、ＤＶＤ−ＲＷ、ＤＶＤ＋ＲＷ、ＤＶＤ−Ｒ、ＤＶＤ＋Ｒ等の光ディスク、及びＭＤ、ＭＯ等の光磁気ディスクの種類を高速に判別するディスク判別装置を備えたディスク記録再生装置に関する。
【背景技術】
【０００２】
近年、映像・音声信号を記録する民生用の機器として光または光磁気を使用したディジタルデータを記録再生可能なディジタルビデオディスク（ＤＶＤ−ＲＡＭ、ＤＶＤ−ＲＷ、ＤＶＤ＋ＲＷ、ＤＶＤ−Ｒ、ＤＶＤ＋Ｒの規格等が有る）を使用するディジタルビデオディスクレコーダー（以下「記録型ＤＶＤ」という場合はディジタルビデオディスクレコーダーを指す）が普及してきている。
【０００３】
しかしながら、上記の記録型ＤＶＤの規格は乱立しており、違う規格の機器同士ではお互いに再生できないことが多い。この点を解消するため、近年、パソコン用の記録型ＤＶＤ機器ではＤＶＤの複数の規格を記録再生可能なマルチフォーマット対応の機器が出始めている。また、記録型ＤＶＤには該当する規格の記録再生機能は当然のことながら他の規格のＤＶＤ及びＣＤ、ＣＤ−ＲＷ、ＣＤ−Ｒも再生可能な機器も多い。
【０００４】
機器側でＣＤやＤＶＤの再生だけでも対応する場合、まずディスクの種類に関する情報を通常ディスクの内周側に配置された次に記すような領域から読み取る必要が有る。ＣＤならＴＯＣエリア、ＤＶＤならコントロールデータエリアとなる。しかしながら、これらのデータを読み取るには、フォーカスサーボ、トラッキングサーボ、スピンドルサーボなどの各種サーボがロックした状態でなければならず、それ以前にはディスクの種類を判別できないという課題が有った。
【０００５】
これを回避するための具体的な従来の手法の一例としては、まずディスクをＣＤと決めて上記のサーボやレーザー、ピックアップ、信号処理回路をＣＤ用に変えてピックアップを駆動させ焦点を合わすことでＴＯＣデータを読みに行く。読めなければ、ＤＶＤと判断して上記のサーボやレーザー、ピックアップ、信号処理回路をＤＶＤ用に変えてピックアップを駆動させ焦点を合わすことでコントロールデータエリアを読みにいく。ディスクの種類を判別する情報は少なくともＤＶＤフォーラムで承認された再生専用ＤＶＤと記録再生可能なＤＶＤ規格では同じ位置に同じフォーマットで予めディスク作成時に作られているため、読み取ったデータよりＤＶＤディスクの種類を確定できる。
【０００６】
このＣＤとＤＶＤに対して、ピックアップを駆動させ焦点を合わす双方の操作には合わせて１０秒程度からそれ以上の長い時間がかかることが多く、マルチフォーマット記録再生ＤＶＤ機器や複数の規格が再生可能なＤＶＤ機器及び１種類のＤＶＤ規格の記録再生に加えＣＤ、ＣＤ−ＲＷ、ＣＤ−Ｒも再生可能なＤＶＤ機器の使い勝手が悪くなるという課題を生じさせている。
【０００７】
上記の様な課題に対して、光ディスクの種類を判別する従来例としては、特許文献１に記載された情報処理装置の様に、光ディスクの収納ケースを外側と内側の２重にして内側の収納ケースの底面の形状を変えて光ディスクの種類を判別する方式が有る。
【０００８】
また、特許文献２に記載された光ディスク記録再生装置の様に、ＣＤ、ＤＶＤ、ＤＶＤの２層ディスクを判別する方法として、記録層がディスクの表面に位置しているのがＣＤであり、記録層がディスクの中央に位置しているのがＤＶＤであり、ディスクの途中に位置しているのがＤＶＤの２層ディスクであることをフォーカスエラー信号により検出するという方法も開示されている。
【特許文献１】特開平５−２７４７７８号公報
【特許文献２】特開平１０−９７７５５号公報
【発明の開示】
【発明が解決しようとする課題】
【０００９】
しかしながら、上記の特許文献１においては、ディスクをカートリッジに入れる必要が有るため、取り扱いが不便となり収納スペースも増大し、実現性に乏しい。
【００１０】
また、上記の特許文献２においては、記録層の位置でＣＤ、ＤＶＤ、ＤＶＤの２層ディスクを判別しているため、記録層の位置が同じである前述した現状のディジタルビデオディスク（ＤＶＤ−ＲＡＭ、ＤＶＤ−ＲＷ、ＤＶＤ＋ＲＷ、ＤＶＤ−Ｒ、ＤＶＤ＋Ｒの規格等が有る）の判別ができない。
【００１１】
本発明の目的は、今後新規に作成されて市場に出回るＣＤ、ＤＶＤ等の光ディスクに対しても、また、既に市場に出回っている手持ちのＣＤ、ＤＶＤ等の光ディスクに対しても、また、ＣＤ、ＤＶＤ等の光ディスクの種類が増えたとしても、簡単に対応可能であり、さらに、ディスクの種類を迅速に且つ的確に判別して、ディスク種類に対応した制御、例えば、レーザー、ピックアップ、サーボ、信号処理回路等の事前準備動作を可能とするディスク判別装置を備えたディスク記録再生装置を提供することにある。
【課題を解決するための手段】
【００１２】
前記課題を解決するために、本発明は主として次のような構成を採用する。  
ディスクに形成された特定パターンを読み取る読み取り手段と、前記読み取り手段からの信号に基づいて前記ディスクの種類を判別する判別手段と、前記ディスクの種類に対応して光学系を制御する制御手段と、を備えたディスク記録再生装置であって、
前記特定パターンは、前記ディスクのデータ記録面とは反対側のディスク面に形成され、且つ前記ディスクの種類を判別するように形成される構成とする。
【００１３】
また、ディスクに形成された特定パターンを読み取る読み取り手段と、前記読み取り手段からの信号に基づいて前記ディスクの種類を判別する判別手段と、前記ディスクの種類に対応して光学系を制御する制御手段と、を備えたディスク記録再生装置であって、
前記特定パターンは、前記ディスクのデータ記録面とは反対側のディスク面に形成され、
前記読み取り手段は、前記ディスクがディスク記録再生装置内に装填される移行過程において前記特定パターンを読み取る構成とする。
【００１４】
また、ディスクに形成された特定パターンを読み取る読み取り手段と、前記読み取り手段からの信号に基づいて前記ディスクの種類を判別する判別手段と、前記ディスクの種類に対応して光学系を制御する制御手段と、を備えたディスク記録再生装置であって、
前記特定パターンは、前記ディスクのデータ記録面とは反対側のディスク面に形成され、
前記読み取り手段は、ディスク記録再生装置内に装填完了された前記ディスクの初期回転によって前記特定パターンを読み取る構成とする。
【００１５】
また、ディスクに形成された特定パターンを読み取る読み取り手段と、前記読み取り手段からの信号に基づいて前記ディスクの種類を判別する判別手段と、前記ディスクの種類に対応して光学系を制御する制御手段と、を備えたディスク記録再生装置であって、
前記特定パターンは、前記ディスクのデータ記録面とは反対側のディスク面に形成され、
前記読み取り手段は、ディスク記録再生装置内に装填完了された前記ディスクの複数パターンを同時に読み取る複数の読み取り部からなり、前記ディスクが装填完了後で回転する以前に前記複数の読み取り部によって前記特定パターンを読み取る構成とする。
【発明の効果】
【００１６】
本発明によれば、ディスクのデータ記録面と反対側のタイトル等が印字された面に特定のパターンを印字しそれをディスク記録再生装置側に付いたパターン読み取り機能で読み取ることにより、ディスクの種類を高速に判別し、データ記録再生用のレーザー、ピック、制御回路の準備を素早く行うことが可能となる。
【００１７】
また、上記パターン読み取り機能のセンサ部をディスクがローディングしてディスク記録再生装置本体に格納する途中に配置することにより、まだディスクがローディング中にディスクの種類を判別し上記の準備を早めに行うことが可能となる。また、上記特定のパターンの印字面積を縮小させて見栄えを良くする。また、上記パターン読み取り機能のセンサ部を複数持つことによりパターン読み取り機能の回路部を簡素化できる。
【発明を実施するための最良の形態】
【００１８】
本発明のディスク判別装置付きディスク記録再生装置に係る実施の形態について、実施例１，２，３，４を挙げて図面を参照しながら以下詳細に説明する。
【実施例１】
【００１９】
本発明のディスク判別装置付きディスク記録再生装置に係る実施例１について、図１、図２、図３ａを用いて説明する。まず、図１と図２は、本発明のディスク判別装置付きディスク記録再生装置に係る実施例１の基本的構成を示す図であり、図１は、本発明のディスク判別装置を搭載したディスク記録再生装置の全体構成を示し、ディスク装填前の状態を示す図である。図２は、本発明のディスク判別装置を搭載したディスク記録再生装置の全体構成を示し、ディスク装填後の状態を示す図である。
【００２０】
図示するように、本発明のディスク判別装置を備えたディスク記録再生装置は、複数規格の光ディスク（ＣＤ、ＤＶＤ等）を記録又は再生可能なディスク記録再生装置である。本発明においては、後述する光ディスクの種類を判別するための種類判別用シールを、既存の光ディスクの印字面（データが記録されている面とは逆の面）に予め貼り付けておく。また、ディスク記録再生装置における光ディスクのローディング用トレイが通過する箇所に、シールに印字したライン（白地に黒の線）の有無を非接触で検出するための反射型フォトセンタを設け、この反射型フォトセンタは赤外線等を用いた発光ダイオードと、その光を受光してその光量に比例した電流を出力するフォトトランンジスタとを有する。赤外線を利用した反射型フォトセンサは、可視光のものに比べて外乱の影響が少ない。
【００２１】
また、図３ａは、本発明の実施例１において、ディスク記録再生装置内の反射型フォトセンサとディスクとの位置関係を示すとともに、ディスクの種類判別用シールの詳細を示す図である。ディスクの種類判別用シールは、図３ａの（ｂ）に示すように、光ディスクの中心の穴より外側の印字面側に白地に同心円状の黒のラインが入ったディスクの種類を判別するためのものである。なお、黒のラインを同心円状にしたのは光ディスクをディスク記録再生装置内のローディング用トレイ（図１の（ｂ））に入れるときにディスクの向きを考える必要が無く、使い勝手を良くするためである。
【００２２】
基本的な動作としては白地に黒のラインが２本入ったシールの場合、黒のラインが有る場合「１」、無い場合「０」と考えると、黒ラインの有無で４種類の状態、即ち、黒ラインの有・無で２ビットの組み合わせとなり４種類のディスクを判別できる。
【００２３】
図４ａは、本発明のディスク判別装置に係る実施例１の構成を示す図であり、図５ａは、本実施例１におけるローディング用トレイがディスク装填前からディスク装填後に変化したとき（図１から図２に変化したとき）、反射型フォトセンサの出力電圧の変化状況を表す図である。なお、図５ａはディスク種類判別用シールに黒のラインが２本有る場合の出力を示している。
【００２４】
次に、本発明のディスク判別装置に係る実施例１の動作を説明する。図１から図２に図示するように、ディスクがローディングされてディスク記録再生装置内に格納されるとき、赤外線等を用いた発光ダイオードとフォトトランジスタの組み合わせである反射型フォトセンサ１（２）（図４ａ参照）の中心は、図３ａの（ｂ）に示すように、ディスクのＡ点からＦ点迄を横切っていく。そのとき、図４ａの反射型フォトセンサ１（２）の出力電圧（Ｖｏ）は、図５ａの様に変化する。
【００２５】
図５ａから分かるように、白の反射率が８０％、黒の反射率が２０％程度であり、光電流は反射率にほぼ比例するので、黒に対して白の光電流がほぼ４倍となる。フォトトランジスタ１に接続された抵抗２（３２）は固定値なので、反射型フォトセンサ１の出力電圧Ｖｏは、シールの白い部分で４Ｖｃｃ／５、シールの黒い部分でＶｃｃ／５となる。なお、反射率１００％のとき、Ｖｏ＝Ｖｃｃとする。また、Ａ点より左と、Ｃ点とＤ点の間と、Ｆ点より右と、にはディスクが存在しないため、フォトセンサには発光ダイオードの光が戻ってこないため、反射率はほぼ０％でＶｏ＝０となる。Ｃ点とＤ点の間では、厳密には中央にディスクを指示する機構が有り、Ｃ点とＤ点の中央付近でＶｏは０にならない場合が有るが、Ｃ点より右とＤ点より左の直後の箇所は通常ディスクの透明な部分なので反射率ほぼ０％でありＶｏ＝０となる。
【００２６】
また、シールを貼った部分以外の領域（Ａ点とＢ点の間、Ｅ点とＦ点の間）で、ＶｏはＶｃｃ／２の一定値としたが、この領域に印字等がされている場合、Ｖｏは０からＶｃｃ迄変化する可能性が有り得るが、図４ａに示す回路はその変化の影響は受けないため、ＶｏはＶｃｃ／２の一定値と仮定した。この影響は受けないという制御手順については、図４ａと図５ａを用いて以下に説明する。
【００２７】
いま、図３ａに示すように、ディスクに貼り付けるシールに２本の黒ラインを付したものに対するディスク判別の動作を説明する（ディジタルの「１１」の場合）。図５ａにおいて、Ａ点（Ｖｏが０から変化：１回目）とＤ点（Ｖｏが０から変化：２回目）の２つの点を通ると、図４ａに示すライン数・ライン位置判別回路１内のディスク有無判別回路１１からリセット信号が時間計測用カウンタ１２へ送られ、時間Ｔｄｅの区間でカウントできるだけのビット数を持ったカウンタ（パルス発生器）１２がカウントアップしていく。すなわち、Ｄ点を始点としてカウントアップする。
【００２８】
ＶｏがＶｃｃ／２を通ったとき、Ｖｃｃ／２より小さい値（Ｖｃｃ／２を含む）からＶｃｃ／２を超えると、立ち上がりエッジ検出回路１３から制御信号が出ると同時に、ＳＷ１（１５）が選択しているエッジ検出メモリ１〜６（１６ａ〜１６ｆ）にカウンタ１２の値を記憶していく。また、ＶｏがＶｃｃ／２を通ったとき、Ｖｃｃ／２より大きい値からＶｃｃ／２以下になると立ち下がりエッジ検出回路１４から制御信号が出ると同時に、ＳＷ１（１５）が選択しているエッジ検出メモリ１〜６（１６ａ〜１６ｆ）にカウンタ１２の値を記憶していく。
【００２９】
エッジ検出メモリ１〜６（１６ａ〜１６ｆ）は立ち上がりエッジか立ち下がりエッジかの情報もフラグｂｉｔを備えて記憶できるようにする（エッジ検出メモリは、カウンタ１２によるカウントアップしたカウント値と、立ち上がりエッジか立ち下がりエッジかビット情報とを出力する）。ＳＷ１（１５）は、最初、エッジ検出メモリ１（１６ａ）を選択しているが、立ち上がりエッジ検出回路１３または立ち下がりエッジ検出回路１４から制御信号が出る毎にエッジ検出メモリ２（１６ｂ）〜エッジ検出メモリ６（１６ｆ）を選択していき、エッジ検出メモリ６（１６ｆ）を選択した後、ＳＷ１の位置はそこで止まる。また、エッジ検出メモリ１〜６（１６ａ〜１６ｆ）の値は、光ディスクを交換し、ディスクの種類を再度判別する必要が生じる迄上書きは行わない。
【００３０】
具体的な例示を示すと、時間計測用カウンタ１２からは１０本の線（２進数で１０２４）が出ていて、この１０本線が各エッジ検出メモリの入力側に順次（エッジ検出回路１３，１４の出力毎に）ＳＷ１で切り替えられて接続されるようになっている。切り替わる直前のカウント値が各メモリに記憶される。各エッジ検出メモリからは１２本の線が出ていてディスク種類判別回路１７に接続されている。この１２本の内訳は、１０本がカウント値を示すための線であり、２本は立ち上がりか立ち下がりかを示すための線である。
【００３１】
２本の黒ラインを例示している図５ａの場合は、エッジ検出メモリ１（立ち上がり）、エッジ検出メモリ２（立ち下がり）、エッジ検出メモリ３（立ち上がり）、エッジ検出メモリ４（立ち下がり）、エッジ検出メモリ５（立ち上がり）、エッジ検出メモリ６（立ち下がり）となる。エッジ検出メモリ１〜６の値はディスク種類判別回路１７に送られて、判別出力（「００」、「０１」、「１０」、「１１」）が制御用マイコン（図示せず）へ出力される。
【００３２】
ここで、例えば、カウンタ１２の最大カウント値が１０２４であって、エッジ検出メモリ１は０、エッジ検出メモリ２は１２８、エッジ検出メモリ３は２５６、エッジ検出メモリ４は３８４、エッジ検出メモリ５は５１２、エッジ検出メモリ６は６４０、というカウント値となった場合、黒のラインが２本であると判定することができる。この場合には、各エッジ検出メモリが立下りであるか立ち上がりであるかが分からなくても判定可能である。なお、ディスク中心穴側の黒のラインをディジタルのｂｉｔ０（ディジタルビットの１桁目）、その外側をｂｉｔ１（ディジタルビットの２桁目）と考えれば、黒のラインが２本の場合はディジタルの「１１」を表す。
【００３３】
次に、ディジタルの「００」、「０１」、「１０」の場合は下記の様になる。
【００３４】
○ディジタルの「００」（シールに黒ラインが無い）の場合、
エッジ検出メモリ１（立ち上がり：０）、エッジ検出メモリ２（立ち下がり：６４０）、即ち、図５ａで、ｈ点で立ち上がって４／５Ｖｃｃで飽和し保持され、ｍ点で立ち下がって１／２Ｖｃｃとなる。
【００３５】
○ディジタルの「０１」（シールの内側に黒ライン有り、外側に黒ライン無し）の場合、
エッジ検出メモリ１（立ち上がり：０）、エッジ検出メモリ２（立ち下がり：１２８）、エッジ検出メモリ３（立ち上がり：２５６）、エッジ検出メモリ４（立ち下がり：６４０）、即ち、図５ａで、Ｄ点からｊ点まで図５ａと同じであり、ｊ点から４／５Ｖｃｃに飽和し保持が継続されて、ｍ点で立ち下がって１／２Ｖｃｃとなる。
【００３６】
○ディジタルの「１０」（シールの内側に黒ライン無し、外側に黒ライン有り）の場合、
エッジ検出メモリ１（立ち上がり：０）、エッジ検出メモリ２（立ち下がり：３８４）、エッジ検出メモリ３（立ち上がり：５１２）、エッジ検出メモリ４（立ち下がり：６４０）、即ち、図５ａで、ｈ点を通って飽和し保持が継続されて、ｋ点で立ち下がって、以後は図５ａと同じ波形となる。
【００３７】
上記のエッジ検出メモリの情報によりディスク種類判別回路は、例えば上記のメモリの値±６４内に立ち上がりや立ち下がりエッジが入っていれば上記のディジタル信号「００」〜「１１」を判別し、その結果を制御用マイコン（図示せず）へ送る。
【００３８】
以上説明した基本的な制御の結果、図５ａのＥ点を過ぎてすぐに４種類のディスクを判別できるため、光ディスクがローディング中にレーザー、ピックアップ、サーボ等の種類別の制御回路を準備することができ、光ディスクがディスク記録再生装置の定位置に移動したら（ディスク装填後に）、即、ＴＯＣまたはコントロールデータエリアを読みに行くことが可能となる。
【００３９】
ここで、シールを貼った部分以外の領域（Ａ点とＢ点の間、Ｅ点とＦ点の間）でＶｏはＶｃｃ／２の一定値としたが、この領域に印字された部分が存在する場合はＶｃｃ／２の一定値ではない可能性が有るが、本実施例１では、Ｃ点とＤ点の２点の検出に基づいて、Ｄ点からのカウントアップでディスク種類を判別するので、Ａ点とＢ点の間の波形変動には影響を受けない。なお、上述した実施例１では説明の簡略化ため、黒のライン２本で４種類のディスクを判別することとしたが、黒のライン３本で８種類のディスクの判別が可能となり、その場合は図４ａの図示構造に対して、エッジ検出メモリ７とエッジ検出メモリ８を追加する必要が有る。
【００４０】
また、現状のＣＤとＤＶＤの規格には、ＣＤ、ＣＤ−ＲＯＭ、ＣＤ−ＲＷ、ＣＤ−Ｒ等のＣＤ、及びＤＶＤ、ＤＶＤ−ＲＯＭ、ＤＶＤ−ＲＡＭ、ＤＶＤ−ＲＷ、ＤＶＤ＋ＲＷ、ＤＶＤ−Ｒ、ＤＶＤ＋Ｒ等のＤＶＤ規格が有り、全てを区別するには最低１１種類程度を判別する必要が有るため、実際に使用する場合は最低黒のライン４本が必要となる。その場合も図４ａにエッジ検出メモリ７〜エッジ検出メモリ１０を追加すれば実現できる。
【００４１】
なお、本実施例１では反射率（＝光電流）が極端に違う白地に黒のラインのシールとしたが、反射率が区別できる程度の濃淡や色の違いが有ればシールの背景とラインの色は他の組み合わせでも良い。また、中央の空いた同心円状のシールは、位置を判別し易い様に最内周側に配置したが、最外周側やディスクの中点に配置しても良いことは言うまでもない。
【００４２】
以上説明したように、本発明のディスク判別装置付きディジタル記録再生装置に係る実施例１によって、ディスクの種類を判別すると、その判別結果に応じて、ディスク記録再生装置は、ディスク種類に応じた制御、例えば、データ記録用発光素子や対物レンズを切り替えたり、開口補正板や収差補正板を出し入れしたり、データ再生用受光素子を切り替えたりすることによって、ディスクの種類に応じた適宜の処理を実行するものである。このような処理は実施例１に限らず、他の実施例でも当然に実行される。
【００４３】
また、本実施例１における基本的な制御は上述したとおりであるが、Ａ点とＢ点間の反射率の環境を勘案することで、図５ａのＢ点からＣ点迄の立ち上がり及び立ち下りエッジの情報を記憶し、前述したエッジ検出メモリ１〜６の内容と比較し、エッジ検出精度を向上させる様にしても良いし、また、「００」〜「１１」の判別結果が違っていた場合、再ローディングしたり、背景技術の欄で述べたディスク判別方法を行ったりして、実際にディスク記録再生装置で使用する場合、色々な制御方法のバリエーションが考えられる。
【実施例２】
【００４４】
次に、本発明のディスク判別装置付きディスク記録再生装置に係る実施例２について、図３ｂ、図４ｂ及び図５ｂを参照しながら以下説明する。図３ｂは、ディスクと反射型フォトセンサの位置関係（図３ｂの（ａ）参照）と、ディスクの種類判別用シール（ディスク回転時に判別）（図３ｂの（ｂ）参照）を示す図であり、図４ｂは、本発明の実施例２におけるディスク判別装置のブロック図であり、図５ｂは、ディスク回転時の反射型フォトセンサ出力電圧（Ｖｏ）の変化を示す図である。
【００４５】
図３ｂの（ｂ）に示すように、ディスクの中心の穴より外側の印字面側に白地に黒のラインが入ったディスクの種類を判別するためのシールを張っている。ディスクの印字面側にシールを貼付するのは図３ａと同じだが、黒のラインは１本だけであり、図３ｂの（ｂ）に示すＬ点〜Ｇ点〜Ｈ点のラインが図３ａのディスク中心の穴側の黒のライン０（内側のライン：ディジタルのｂｉｔ０）に相当し、図３ｂの（ｂ）に示すＩ点〜Ｊ点〜Ｋ点のラインが図３ａのその外側の黒のライン１（外側のライン：ディジタルのｂｉｔ１）に相当する。図３ｂの場合も、黒のラインが有る場合「１」、無い場合「０」と考えると、黒ラインの有無で４種類の状態、即ち、４種類のディスクを判別できる。
【００４６】
次に、図３ｂの（ｂ）に図示するようなディジタルの「１１」の場合におけるディスク判別の動作について説明する。まず、図３ｂの（ｂ）に示すような白地に途中に切れ目が入った黒のラインが印字されたシールをディスクに予め貼っておく。図３ｂの（ａ）に示すように、光ディスクが完全にローディング完了した時点で黒のラインを検出可能な位置に反射型フォトセンサ１がディスク記録再生装置に取り付けられている。
【００４７】
図４ｂに示すように、ローディングが完了しディスクが回転し始めると、ローディング完了・ディスク回転始動信号が制御用マイコンに送られ、その信号により時間計測用カウンタ１２をリセットし、カウントアップする。ディスクが回転し始めると、図５ｂに示すように、反射型フォトセンサ１の出力電圧（Ｖｏ）が発生するため、図５ａと同じ様に図４ｂの回路で、例えば、エッジ検出メモリ１（立ち上がり：１２８±α）、エッジ検出メモリ２（立ち下がり：１９２±α）、エッジ検出メモリ３（立ち上がり：４４８±α）、エッジ検出メモリ４（立ち下がり：５１２±α）となり、エッジ検出の位置と立下りか立ち上がりかで黒のラインが１本であっても、切れ目を付ければ（図３ｂの（ｂ）の例で、Ｈ点とＩ点間とＫ点とＬ点間の切れ目）黒が２本有ると判定できる。ここで、±αとするのは、ディスクのＧ点が反射型フォトセンサの位置に必ずしも対向配置してローディングされるとは限らず、αのズレがあってローディングされてカウントアップすることを示す。なお、ライン０をディジタルのｂｉｔ０（１桁目）、ライン１をｂｉｔ１（２桁目）と考えれば、図３ｂの（ｂ）に示すような切れ目のある黒のラインが２本有る場合は、ディジタルの「１１」を表す。
【００４８】
次に、ディジタルの「００」、「０１」、「１０」の場合は下記の様になる。
【００４９】
○ディジタルの「００」の場合
エッジ検出メモリ１〜４の値は変化せず（全て０）
○ディジタルの「０１」の場合
エッジ検出メモリ１（立ち上がり：１２８±α）、エッジ検出メモリ２（立ち下がり：１９２±α）
○ディジタルの「１０」の場合
エッジ検出メモリ１（立ち上がり：４４８±α）、エッジ検出メモリ２（立ち下がり：５１２±α）
上記のエッジ検出メモリの情報によりディスク種類判別回路１７は、上記のディジタル信号「００」〜「１１」を制御用マイコン（図示せず）へ送り、ディスクが回転し始めるとすぐに（厳密にはディスク１回転後から）、４種類のディスクを判別できるため、ディスクが回転し始めるとほぼ同時にＴＯＣまたはコントロールデータエリアを読みに行くことが可能となる。
【００５０】
本発明の実施例２の場合の利点としては３点有る。１点目は、同一半径の円周上における黒のライン１本で色々なパターンを表すことができるため、黒のライン０、黒のライン１を短くして黒のライン３、黒のライン４、……と増やしていき、さらに黒のライン１本につきエッジ検出メモリを２×Ｎ（整数）個増やしていけば、判別するディスクの種類を４種類から増やすことも容易である。さらに情報量をかなり多くできるため、黒のラインの情報をディスクの種類以外、例えば、ディスクのジャンルや記録内容等の他の情報も表すことが可能となる点が２点目である。３点目は黒のラインの本数が減るため、シールの面積が減少し見栄えが良くなる点が有る。
【実施例３】
【００５１】
次に、本発明のディスク判別装置付きディスク記録再生装置に係る実施例３について、図３ｃ、図４ｃ及び図５ｃを参照しながら以下説明する。図３ｃは、ディスクと反射型フォトセンサ１，２の位置関係（図３ｂの（ａ）参照）と、ディスクの種類判別用シール（ディスク静止時に判別）（図３ｂの（ｂ）参照）を示す図であり、図４ｃは、本発明の実施例３におけるディスク判別装置のブロック図であり、図５ｃは、ディスク静止時の反射型フォトセンサ出力電圧（Ｖｏ１，Ｖｏ２）の状況を示す図である。本実施例３では、図４ｃに示すように、反射型フォトセンサ１（２）の他に反射型フォトセンサ２（４）を追加している。
【００５２】
本実施例３においては、図３ｃの（ｂ）に示すように、ディスクの中心の穴より外側の印字面側に白地に黒のラインが入ったディスクの種類を判別するためのシールを張っている。ディスクの印字面側にシールを貼付するのは図３ａと同じだが、ディスク記録再生装置側に光ディスクの中心の穴側の黒のライン０（ディジタルのｂｉｔ０）判別用の反射型フォトセンサ１と、その外側の黒のライン１（ディジタルのｂｉｔ１）判別用の反射型フォトセンサ２の２つの反射型フォトセンサを設ける。この場合も黒のラインが有る場合「１」、無い場合「０」と考えると黒ラインの有無で４種類の状態、即ち、４種類のディスクを判別できる。
【００５３】
次に、図３ｃの（ｂ）に図示するようなディジタルの「１１」の場合におけるディスク判別の動作について説明する。図３ｃに示すように、黒ライン０（内側）と黒ライン１（外側）でそれぞれ専用の反射型フォトセンサ１と反射型フォトセンサ２を使用する場合、ローディング完了信号が出た後（即ち、ディスクの位置が確定した後）の出力電圧（Ｖｏ１、Ｖｏ２）は、図５ｃに示すように一定電圧となる。図示の例では、Ｖｏ１＝Ｖｏ２＝Ｖｃｃ／５となる。このＶｏ１、Ｖｏ２を図４ｃの判別回路でローディング完了信号に合わせてディスク判別回路１７に取り込めば、ディスクを回転させる前に黒のライン０（内側ライン）と黒のライン１（外側ライン）における黒の有無を判定できる。なお、黒のライン０をディジタルのｂｉｔ０、黒のライン１をｂｉｔ１と考えれば、黒のラインが２本有る場合はディジタルの「１１」を表す。
【００５４】
次に、ディジタルの「００」、「０１」、「１０」の場合、Ｖｏ１（内側）とＶｏ２（外側）の値は次のようになる。
【００５５】
○ディジタルの「００」の場合
Ｖｏ１＝Ｖｏ２＝４Ｖｃｃ／５
○ディジタルの「０１」の場合
Ｖｏ１＝１Ｖｃｃ／５、Ｖｏ２＝４Ｖｃｃ／５
○ディジタルの「１０」の場合
Ｖｏ１＝４Ｖｃｃ／５、Ｖｏ２＝Ｖｃｃ／５
上記の情報によりディスク種類判別回路は、上記のディジタル信号「００」〜「１１」を制御用マイコン（図示せず）へ送り、４種類のディスクを判別できる。本実施例３の場合の利点としては２点有る。１点目はローディングが終了し、ディスクが回転する前に４種類のディスクを判別できるため、光ディスクを回転し始める前にＴＯＣまたはコントロールデータエリアを読みに行く準備が可能となる。また、２点目は、図４ｃに示すように、ライン数・ライン位置判別回路１の構成が簡素化できることである。ここで、本実施例３では説明の簡略化ため、黒のライン２本で４種類のディスクを判別することとしたが、黒のライン３本で８種類のディスクの判別が可能となる。その場合は図４ｃにさらに反射型フォトセンサ５をもう１個追加する必要が有る。また、実施例１で述べた様に実際に使用する場合は最低黒のライン４本が必要となる。その場合も図４ｃに反射型フォトセンサ５と反射型フォトセンサ６を追加すれば実現できる。
【００５６】
なお、本発明の実施例１〜実施例３では反射率（＝光電流）が極端に違う白地に黒のラインのシールとしたが、反射率が区別できる程度の濃淡や色の違いが有ればシールの背景とラインの色は他の組み合わせでも良い。また、中央の空いた同心円状のシールは位置を判別し易いようにに最内周側に配置したが、最外周側やディスクの中点でも良いことは言うまでもない。なお、本実施例３ではシールを貼り付ける位置により反射型フォトセンサ１〜反射型フォトセンサ４の位置を動かす必要が有ることは言うまでも無い。
【実施例４】
【００５７】
次に、本発明のディスク判別装置付きディスク記録再生装置に係る実施例４について、図６を参照しながら以下説明する。図６は、本実施例４に用いる赤外線反射塗料の日射反射率を従来の塗料と比較して表した図である。
【００５８】
本発明の実施例４は、ディスク上にシールを張ってディスクの再生または記録再生装置側に反射型フォトセンサを付加し、シール上に印字されているラインを読み取ってディスクの種類を判別するものであるが、既存のディスクの表面には通常、文字等が印字されているため、シールの貼付によって文字が読めないと云う課題を生じる。その場合の対応策としては、本実施例４ではシールのベースを透明のフィルムにしてライン部分に透明で赤外線領域のみ選択的に反射する塗料を塗布している。
【００５９】
この反射塗料は、既に実用化され市販品であるが、もともと遮熱用（図６に示すように、太陽光線の５０％を占める赤外線を反射（反射率８０％程度）すれば未塗料と比較して数度温度が下がる）であり、一方、反射型フォトセンサは通常、赤外線発光ダイオードとフォトトランジスタを使用しているため、この塗料にてラインを印字し、シールのベースを透明のフィルムにすれば文字判読の課題は解消できる。
【００６０】
このように、本発明は、既存のディスク（ＣＤ、ＤＶＤ等）にも本発明を適用可能な様に白地に黒のラインが入ったシールをディスクの印字面に貼る場合を一例として挙げているが、これから発売されるディスクには最初から白地に黒のラインを印字したり、本実施例４のようなライン用赤外線反射塗料を直接にディスクの印字面に印字しても良い。なお、以上の実施例で述べてきた様に本発明は、光ディスクの種類を判別し易くするため、反射率（センサの出力電圧が比例）の差が４倍程度見込める白地に黒のラインが入ったシール（または印刷）を使用することとしたが、逆に黒地に白のラインが入ったシール（または印刷）を使用することも当然可能である。
【００６１】
以上、本発明のディスク判別装置付きディスク記録再生装置の実施例について説明したが、再度、本発明の種々の実施例の構成と機能乃至作用とを取り纏めると次のようになる。本実施例は、ディスク状記録媒体上の特定のパターンを読み取る手段と、当該読み取り手段からの信号によりディスクの種類を判別する手段と、ディスクの種類に応じてデータ記録用発光素子や対物レンズを切り替えたり、開口補正板や収差補正板を出し入れしたり、データ再生用受光素子を切り替えたりする制御手段と、を備え、ディスクのデータ記録面とは反対側の面に特定のパターンが書き込まれたディスク上のパターンを当該読み取り手段にて読み取りディスクの種類を判別することを特徴とする。
【００６２】
また、本実施例はディスク状記録媒体上の特定のパターンを読み取る手段と、当該読み取り手段からの信号よりディスクの種類を判別する手段と、ディスクの種類に応じてデータ記録用発光素子や対物レンズを切り替えたり、開口補正板や収差補正板を出し入れしたり、データ再生用受光素子を切り替えたりする制御手段と、を備え、ディスク状記録媒体がディスク状記録媒体の記録再生装置に挿入される途中に当該読み取り手段を配置し、ディスクのデータ記録面とは反対側の面に特定のパターンが書き込まれたディスク上のパターンを当該読み取り手段にて読み取りディスクの種類を判別することを特徴とする。
【００６３】
また、本実施例は、ディスク状記録媒体上の特定のパターンを読み取る手段と、当該読み取り手段からの信号よりディスクの種類を判別する手段と、ディスクの種類に応じてデータ記録用発光素子や対物レンズを切り替えたり、開口補正板や収差補正板を出し入れしたり、データ再生用受光素子を切り替えたりする制御手段と、を備え、ディスク状記録媒体がディスク状記録媒体の記録再生装置に挿入された後、ディスク状記録媒体上の特定のパターンを読み取り可能な位置に当該読み取り手段を配置し、ディスクのデータ記録面とは反対側の面に特定のパターンが書き込まれたディスク上のパターンを当該読み取り手段にて読み取りディスクの種類を判別することを特徴とする。
【００６４】
また、本実施例は、ディスク状記録媒体上の特定のパターンを読み取る複数の手段と、当該読み取り手段からの信号よりディスクの種類を判別する手段と、ディスクの種類に応じてデータ記録用発光素子や対物レンズを切り替えたり、開口補正板や収差補正板を出し入れしたり、データ再生用受光素子を切り替えたりする制御手段と、を備え、ディスク状記録媒体がディスク状記録媒体の記録再生装置に挿入された後ディスク状記録媒体上の特定の複数のパターンを読み取り可能な位置に当該複数の読み取り手段を配置し、ディスクのデータ記録面とは反対側の面に特定のパターンが書き込まれたディスク上のパターンを当該読み取り手段にて読み取りディスクの種類を判別することを特徴とする。
【００６５】
さらに、本実施例は、ディスクのデータ記録面と反対側のタイトル等が印字された面に特定のパターンが書き込まれたシール等の印刷物を貼り付けることにより、既に市場に出ているＣＤ、ＤＶＤ等の光ディスクの種類判別にも簡単に対応できる。また、ディスクのデータ記録面と反対側の面にタイトル等と同時に特定のパターンも印字可能なので、当然これから市場に出る光ディスクの種類の判別にも簡単に対応できる。
【００６６】
また、本実施例は、上記特定のパターンの印字において、当然、センサで読み取り可能なベースと特定のパターンの色（＝反射率、センサの出力電圧は反射率に比例）を選択することができる。また、特定のパターンとして白地に複数の黒線が書き込まれた物を使用することにより反射率に４倍程度の差が見込め、パターンの判定が容易となる。
【００６７】
また、本実施例は、ディスク状記録媒体としてＣＤ、ＣＤ−ＲＯＭ、ＣＤ−ＲＷ等のＣＤ、及びＤＶＤ、ＤＶＤ−ＲＯＭ、ＤＶＤ−ＲＡＭ、ＤＶＤ−ＲＷ、ＤＶＤ＋ＲＷ、ＤＶＤ−Ｒ、ＤＶＤ＋Ｒ等の光ディスク、及びＭＤ、ＭＯ等の光磁気ディスク、ディスク状記録媒体上の特定のパターンを読み取る手段として発光素子として赤外線等を用いた発光ダイオードと受光素子としてフォトトランジスタで構成される反射型フォトセンサを用いることにより、特定のパターンとして黒線４本（最大１６種類）程度で済む。また、パターン読み取り機能として赤外線等を用いた反射型フォトセンサを用いることにより非接触で信頼性の高いディスクの判別が可能となる。
【００６８】
また、本実施例は、ディスク状記録媒体上の特定のパターンを読み取る手段として赤外線を発光素子として用いた発光ダイオードと受光素子としてフォトトランジスタで構成される反射型フォトセンサを用い、上記特定のパターンのシール（または印字）において、ベースに透明なフィルムを使用し、特定のパターンの塗料を赤外線領域のみ選択的に反射する塗料を使用することにより、ディスク判別用シール（または印字）をユーザーには殆ど見えなくすることが可能となり、見栄えを良くすることができる。
【００６９】
また、本実施例は、特定のパターンとしてベースに同心円上のパターンが書き込まれた物を使用することにより光ディスクをディスク記録再生装置内の図１ａのローディング用トレイに入れる時にディスクの向きを考える必要が無く使い勝手を良くできる。また、ベースとパターンの色として白と黒を適宜に選択すれば、反射率に４倍程度の差が見込め、パターンの判定が容易となる。また、特定のパターンとして黒地に複数の白線が書き込まれた物を使用することにより、上述した様にパターンの判定が容易となる。
【図面の簡単な説明】
【００７０】
【図１】本発明のディスク判別装置付きディスク記録再生装置の全体構成を示し、ディスク装填前の状態を示す図である。
【図２】本発明のディスク判別装置付きディスク記録再生装置の全体構成を示し、ディスク装填後の状態を示す図である。
【図３ａ】本発明の実施例１（ディスク装填時に判別）において、ディスク記録再生装置内の反射型フォトセンサとディスクとの位置関係を示すとともに、ディスクの種類判別用シールの詳細を示す図である。
【図３ｂ】本発明の実施例２（ディスク回転時に判別）において、ディスク記録再生装置内の反射型フォトセンサとディスクとの位置関係を示すとともに、ディスクの種類判別用シールの詳細を示す図である。
【図３ｃ】本発明の実施例３（ディスク静止時に判別）において、ディスク記録再生装置内の反射型フォトセンサとディスクとの位置関係を示すとともに、ディスクの種類判別用シールの詳細を示す図である。
【図４ａ】本発明のディスク判別装置付きディスク記録再生装置に係る実施例１（ディスク装填時に判別）の構成を示す図である。
【図４ｂ】本発明のディスク判別装置付きディスク記録再生装置に係る実施例２（ディスク回転時に判別）の構成を示す図である。
【図４ｃ】本発明のディスク判別装置付きディスク記録再生装置に係る実施例３（ディスク静止時に判別）の構成を示す図である。
【図５ａ】本実施例１におけるローディング用トレイがディスク装填前からディスク装填後に変化したとき（図１から図２に変化したとき）、反射型フォトセンサの出力電圧の変化状況を表す図である。
【図５ｂ】本実施例２におけるディスク回転時の反射型フォトセンサ出力電圧（Ｖｏ）の変化状況を表す図である。
【図５ｃ】本実施例２におけるディスク静止時の反射型フォトセンサ出力電圧（Ｖｏ１、Ｖｏ２）の状況を表す図である。
【図６】本発明の実施例４に用いる赤外線反射塗料の日射反射率を従来の塗料と比較して表した図である。
【符号の説明】
【００７１】
１  ライン数・ライン位置判別回路
２  反射型フォトセンサ１
４  反射型フォトセンサ２
１１  ディスク有無判別回路
１２  時間計測用カウンタ
１３  立ち上がりエッジ検出回路
１４  立ち下がりエッジ検出回路
１５  ＳＷ１
１６ａ  エッジ検出メモリ１
１６ｂ  エッジ検出メモリ２
１６ｃ  エッジ検出メモリ３
１６ｄ  エッジ検出メモリ４
１６ｅ  エッジ検出メモリ５
１６ｆ  エッジ検出メモリ６
１７  ディスク種類判別回路
２１  発光ダイオード１
２２  フォトトランジスタ１
３１  抵抗１
３２  抵抗２
３３  抵抗３
３４  抵抗４
４１  発光ダイオード２
４２  フォトトランジスタ２
【図１】
2005317102.tif 000003
【図２】
2005317102.tif 000004
【図３ａ】
2005317102.tif 000005
【図３ｂ】
2005317102.tif 000006
【図３ｃ】
2005317102.tif 000007
【図４ａ】
2005317102.tif 000008
【図４ｂ】
2005317102.tif 000009
【図４ｃ】
2005317102.tif 000010
【図５ａ】
2005317102.tif 000011
【図５ｂ】
2005317102.tif 000012
【図５ｃ】
2005317102.tif 000013
【図６】
2005317102.tif 000014